(57)【要約】【課題】簡易な構成で用紙に付着した紙粉を確実に除去することができる画像形成装置を提供する。【解決手段】レジストローラ対を構成するローラ部材２４、２６が正に帯電する正帯電ローラで構成されているため、用紙Ｐと接触することにより負に帯電した紙粉を用紙Ｐから引き寄せることができる。これにより、搬送される用紙Ｐから紙粉を除去することができ、紙粉が原因となる画像不良を防止することができる。また、簡易な構成で、搬送される用紙Ｐから紙粉を除去することができるため、設備コストが大幅に増大してしまうことを防止できる。【選択図】      図２
2007034228.tif 000002
【特許請求の範囲】
【請求項１】
正に帯電される感光体ドラムと、前記感光体ドラムに搬送される用紙が接触するローラ部材と、を有する画像形成装置であって、
前記ローラ部材は、正に帯電する正帯電ローラで構成されていることを特徴とする画像形成装置。
【請求項２】
前記ローラ部材の少なくとも外周面は、紙よりも正に帯電し易い材料で構成されていることを特徴とする請求項１に記載の画像形成装置。
【請求項３】
前記ローラ部材の少なくとも外周面は、ガラスで構成されていることを特徴とする請求項１又は２に記載の画像形成装置。
【請求項４】
前記ローラ部材の外周面には、セロハンフィルムが巻かれていることを特徴とする請求項１又は２に記載の画像形成装置。
【請求項５】
前記ローラ部材に接触し前記ローラ部材の回転と共に回転する接触ローラ部材を有し、
前記ローラ部材の少なくとも外周面は、前記接触ローラ部材よりも正に帯電し易い材料で構成されていることを特徴とする請求項１乃至４のいずれか１項に記載の画像形成装置。
【発明の詳細な説明】
【技術分野】
【０００１】
本発明は、正帯電される感光体ドラムを有する画像形成装置に関する。
【背景技術】
【０００２】
従来の画像形成装置の中には、感光体ドラムを正帯電させる方式のものがある。また、この方式の画像形成装置には、プラスチックで構成された搬送ローラなどのローラ部材を設けたものがある。
【特許文献１】特開２０００−１８１３０９号公報
【特許文献２】特開２００５−４０８６号公報
【発明の開示】
【発明が解決しようとする課題】
【０００３】
ところで、上記従来の画像形成装置では、用紙の紙粉は負に帯電する傾向があり、プラスチックで構成された搬送ローラなどのローラ部材も負に帯電する傾向があるため、用紙がローラ部材に接触した場合でも、用紙の紙粉を除去することができない問題がある。このため、紙粉により用紙に形成される画像の画像不良が発生することがある。また、画像不良を防止するためには、所定のバイアスを印加させるための大規模な設備が必要となり、設備コストが大幅に増大してしまう問題がある。
【０００４】
そこで、本発明は、上記事情を考慮し、簡易な構成で用紙に付着した紙粉を確実に除去することができる画像形成装置を提供することを目的とする。
【課題を解決するための手段】
【０００５】
請求項１に記載の発明は、正に帯電される感光体ドラムと、前記感光体ドラムに搬送される用紙が接触するローラ部材と、を有する画像形成装置であって、前記ローラ部材は、正に帯電する正帯電ローラで構成されていることを特徴とする。
【０００６】
請求項１に記載の発明によれば、ローラ部材が正に帯電する正帯電ローラで構成されているため、負に帯電し易い紙粉を効果的に引き寄せることができる。これにより、搬送される用紙から紙粉を除去することができ、紙粉が原因となる画像不良を防止することができる。また、簡易な構成で、搬送される用紙から紙粉を除去することができるため、設備コストが大幅に増大してしまうことを防止できる。
【０００７】
請求項２に記載の発明は、請求項１に記載の画像形成装置において、前記ローラ部材の少なくとも外周面は、紙よりも正に帯電し易い材料で構成されていることを特徴とする。
【０００８】
請求項２に記載の発明によれば、ローラ部材の少なくとも外周面が紙よりも正に帯電し易い材料で構成されているため、搬送される用紙から紙粉を効率良く除去することができる。
【０００９】
請求項３に記載の発明は、請求項１又は２に記載の画像形成装置において、前記ローラ部材の少なくとも外周面は、ガラスで構成されていることを特徴とする。
【００１０】
請求項３に記載の発明によれば、ローラ部材の少なくとも外周面が最も正に帯電し易いガラスで構成されているため、搬送される用紙から紙粉を確実に除去することができる。
【００１１】
請求項４に記載の発明は、請求項１又は２に記載の画像形成装置において、前記ローラ部材の外周面には、セロハンフィルムが巻かれていることを特徴とする。
【００１２】
請求項４に記載の発明によれば、ローラ部材の外周面には比較的正に帯電し易いセロハンフィルムが巻かれているため、搬送される用紙から紙粉を効率良く除去することができる。
【００１３】
請求項５に記載の発明は、請求項１乃至４のいずれか１項に記載の画像形成装置において、前記ローラ部材に接触し前記ローラ部材の回転と共に回転する接触ローラ部材を有し、前記ローラ部材の少なくとも外周面は、前記接触ローラ部材よりも正に帯電し易い材料で構成されていることを特徴とする。
【００１４】
請求項５に記載の発明によれば、ローラ部材は接触ローラ部材よりも正に帯電し易い材料で構成されているため、ローラ部材の回転と共に接触ローラ部材が回転している間は、その接触によりローラ部材が常に正に帯電する。これにより、搬送される用紙から紙粉を確実に除去することができる。
【発明の効果】
【００１５】
本発明によれば、簡易な構成で用紙に付着した紙粉を確実に除去することができる。
【発明を実施するための最良の形態】
【００１６】
次に、本発明の一実施形態に係る画像形成装置について、図面を参照して説明する。
【００１７】
図１に示すように、画像形成装置１０は、用紙Ｐ（図２参照）に画像を形成するための画像形成部が設けられた画像形成装置本体１２を備えている。画像形成装置本体１２の下側には、給紙カセット１４が配置されている。この給紙カセット１４の内部には、フラッパ１６が設けられている。このフラッパ１６の上部には、所定のサイズの用紙Ｐが積層されている。また、給紙カセット１４の近傍には、給紙ローラ１８が配置されている。また、フラッパ１６は、積層された用紙Ｐの上面が給紙ローラ１８に接するようにバネ部材２０により上方に付勢されている。この状態で、給紙ローラ１８が回転駆動すると、摩擦力により用紙Ｐが１枚ずつ搬送路２２に給紙されるようになる。
【００１８】
給紙ローラ１８の用紙搬送方向下流側には、レジストローラ対を構成する２つのローラ部材２４、２６が配置されている。ここで、各ローラ部材２４、２６は、正に帯電する正帯電ローラで構成されている。詳細には、各ローラ部材２４、２６の少なくとも外周面が紙よりも正に帯電し易い材料、具体的には、ガラス、ナイロン、セロハン、ビニロン、絹、アルミニウム、アクリルなどの樹脂や金属で構成されている。各ローラ部材２４、２６の全体を上述した各材料で構成してもよく、また、外周面に上述した各材料をフィルム状にしたものを巻きつけてもよい。
【００１９】
レジストローラ対の用紙搬送方向下流側には、感光体ドラム２８と、感光体ドラム２８に所定のニップ圧で接触する転写ローラ３０と、が配置されている。また、感光体ドラム２８の周囲には、クリーニングローラ３２と、コロナ帯電器３４と、現像器３６と、が配置されている。また、現像器３６の近傍には、露光ヘッド３８が配置されている。
【００２０】
上記クリーニングローラ３２は、導電性のスポンジ等により構成され、転写後の感光体ドラム２８の表面に付着したトナーや紙粉を除去する。また、コロナ帯電器３４は、コロトロンからの放電により感光体ドラム２８の表面を一様に帯電する。コロナ帯電器３４により一様に帯電された感光体ドラム２８に、露光ヘッド３８により画像記録信号に応じて露光することで静電潜像が形成される。そして、現像器３６内のトナーを感光体ドラム２８に形成された静電潜像に転移させて、静電潜像を可視像化する。また、上述した転写ローラ３０は用紙Ｐを挟んで感光体ドラム２８と対向する位置に配置されており、転写ローラ３０に所定の電圧が印加されると感光体ドラム２８の表面に形成されたトナー像が転写ローラ３０により用紙Ｐに転写される。
【００２１】
感光体ドラム２８及び転写ローラ３０の用紙搬送方向下流側には、用紙Ｐに転写された画像を定着させる定着部が設けられている。この定着部は、定着ローラ４０と、定着用プレスローラ４２と、が配置されている。用紙Ｐに転写されたトナー像は、用紙Ｐが定着ローラ４０及び定着用プレスローラ４２により挟持されて加熱・プレスされることにより、定着される。
【００２２】
定着ローラ４０及び定着用プレスローラ４２の用紙搬送方向下流側には、排紙ローラ４４と、この排紙ローラ４４と対向するピンチローラ４６と、が配置されている。また、画像形成装置本体１２の上面には、排紙トレイ４８が形成されている。
【００２３】
なお、本実施形態の画像形成装置１０ではレジストローラ対の２つのローラ部材２４、２６を正に帯電する正帯電ローラで構成する例を説明したが、この構成に限られるものではなく、例えば給紙ローラ１８や給紙カセット１４から感光体ドラム２８に至るまでに配置されている搬送ローラ（図示省略）などのローラ部材を正に帯電する正帯電ローラで構成することが好ましい。
【００２４】
次に、本実施形態の画像形成装置の作用及び効果について説明する。
【００２５】
図２に示すように、レジストローラ対の２つのローラ部材２４、２６が正に帯電する正帯電ローラで構成されているため、用紙Ｐと接触することにより、負に帯電した紙粉を用紙Ｐから引き寄せることができる。これにより、搬送される用紙Ｐから紙粉を除去することができ、紙粉が原因となる画像不良を防止することができる。また、簡易な構成で、搬送される用紙Ｐから紙粉を除去することができるため、設備コストが大幅に増大してしまうことを防止できる。
【００２６】
特に、レジストローラ対の２つのローラ部材２４、２６を紙よりも正に帯電し易い材料で構成されることにより、搬送される用紙Ｐから紙粉を効率良く除去することができる。
【００２７】
具体的には、レジストローラ対の２つのローラ部材２４、２６が最も正に帯電し易いガラスで構成されることにより、搬送される用紙Ｐから紙粉を確実に除去することができる。
【００２８】
また、レジストローラ対の２つのローラ部材２４、２６の外周面に比較的正に帯電し易いセロハンフィルムが巻かれている場合でも、搬送される用紙Ｐから紙粉を効率良く除去することができる。
【００２９】
次に、上記実施形態の画像形成装置の変形例について説明する。なお、上記画像形成装置と重複する構成については説明を省略する。
【００３０】
図３に示すように、変形例の画像形成装置では、レジストローラ対の１つのローラ部材２４の近傍に、このローラ部材２４と接触しローラ部材２４の回転と共に回転する接触ローラ部材５０が配置されている。ここで、ローラ部材２４は、接触ローラ部材５０よりも正に帯電し易い材料で構成されている。例えば、ローラ部材２４は、ガラス、ナイロン、セロハン、ビニロン、絹、アルミニウム、アクリルで構成され、接触ローラ部材５０は、ローラ部材２４よりも正に帯電し難い材料、例えばスチール、ポリプロピレン、ポリエステル、ポリウレタン、ポリエチレン、ポリ塩化ビニル、ポリ塩化ビニリデン、テフロン（登録商標）などの材料で構成されている。また、接触ローラ部材５０には除電ブラシ５２が取り付けられている。
【００３１】
この変形例によれば、ローラ部材２４は接触ローラ部材５０よりも正に帯電し易い材料で構成されているため、ローラ部材２４の回転と共に接触ローラ部材５０が回転している間は、その接触によりローラ部材２４が常に正に帯電する。これにより、搬送される用紙Ｐから紙粉を確実に除去することができる。
【図面の簡単な説明】
【００３２】
【図１】本発明の一実施形態に係る画像形成装置の概略構成図である。
【図２】本発明の一実施形態に係る画像形成装置を構成するローラ部材に紙粉が引き寄せられる状態を示した説明図である。
【図３】本発明の一実施形態に係る画像形成装置の変形例の要部を示した構成図である。
【符号の説明】
【００３３】
１０        画像形成装置
２４        ローラ部材
２６        ローラ部材
２８        感光体ドラム
５０        接触ローラ部材
【図１】
2007034228.tif 000003
【図２】
2007034228.tif 000004
【図３】
2007034228.tif 000005